(57)【要約】【課題】従来の空気吹込み式の霧吹き器よりも簡単な構造を有し、低コストで製造でき、取り扱いが容易な霧吹き器を提供する。【解決手段】上端が開口し、内部にクリーニング用溶剤が入れられる容器１と、容器の上端開口部に着脱自在に取り付けられた密閉部材２と、密閉部材に設けられた貫通穴を通って上下方向に、容器の外側から容器の内部にのび、密閉部材にシールされた状態で取付けられた支持管３と、管形状を有し、支持管内に差し込まれて支持管内にのび、下端にクリーニング用溶剤の吸込口４ａが設けられ、支持管から突出する上端にクリーニング用溶剤の吸出口４ｂが設けられた溶剤吸上げ管４と、一端に空気吹込口５ａが設けられ、他端に空気吹出口５ｂが設けられた管形状を有し、溶剤吸上げ管に連結されるとともに、空気吹出口が吸上管の吸出口に近接し、かつ溶剤吸上げ管に交差するように配置された空気吹込み管５を備える。【選択図】図１
0003097766.tif 000002
【実用新案登録請求の範囲】
【請求項１】
上端が開口し内部にクリーニング用溶剤が入れられる容器と、
前記容器の上端開口部に着脱自在に取り付けられた密閉部材と、
前記密閉部材に設けられた貫通穴を通って上下方向に、前記容器の外側から前記容器の内部にのび、前記密閉部材にシールされた状態で取付けられた支持管と、
管形状を有し、前記支持管内に差し込まれて前記支持管内にのび、下端にクリーニング用溶剤の吸込口が設けられ、前記支持管から突出する上端にクリーニング用溶剤の吸出口が設けられた溶剤吸上げ管と、
一端に空気吹込口が設けられ、他端に空気吹出口が設けられた管形状を有し、前記溶剤吸上げ管に連結されるとともに、前記空気吹出口が前記吸上管の吸出口に近接し、かつ前記溶剤吸上げ管に交差するように配置された空気吹込み管と、を備えていることを特徴とするクリーニング用溶剤霧吹き器。
【請求項２】
前記密閉部材は、蓋または栓からなっていることを特徴とする請求項１に記載のクリーニング用溶剤霧吹き器。
【請求項３】
前記溶剤吸上げ管の吸出口側外周面に一方の連結片が固定され、前記空気吹込み管の空気吹出口側外周面には他方の連結片が固定されていて、前記一方の連結片および前記他方の連結片が、連結軸によって、垂直面内において互いに回動可能に連結されることによって、前記空気吹込み管は前記溶剤吸上げ管に連結されていることを特徴とする請求項１または請求項２に記載のクリーニング用溶剤霧吹き器。
【請求項４】
前記容器、前記密閉部材および前記支持管は、ポリエチレンおよびポリプロピレンおよび金属のうちのいずれかから形成されていることを特徴とする請求項１〜請求項３のいずれかに記載のクリーニング用溶剤霧吹き器。
【請求項５】
前記溶剤吸上げ管および前記空気吹込み管は、金属から形成されていることを特徴とする請求項１〜請求項４のいずれかに記載のクリーニング用溶剤霧吹き器。
【考案の詳細な説明】
【０００１】
【考案の属する技術分野】
本考案は、被服のクリーニング処理において、汚れを取るためのクリーニング用溶剤を噴霧するために使用する霧吹き器に関するものである。
【０００２】
【従来の技術】
従来、和服や洋服、ネクタイ等の被服のクリーニング処理において、丸洗い処理等によって落とすことができない汚れについては、汚れの付着した被服の領域にベンジンや揮発油等のクリーニング用溶剤を霧状に吹き付け、ブラシ等を使って手作業で汚れを擦り落とす方法が採られていた。
【０００３】
この場合、ベンジンや揮発油等のクリーニング用溶剤は引火し易く、また、クリーニング用溶剤を吹き付ける量を微妙に調節する必要があることから、従来、空気吹込み式の霧吹き器が使用され、使用者が吹き込む空気を利用してクリーニング用溶剤を霧状に吹き付けることがなされている。
【０００４】
図３には、この形式の霧吹き器が示してある。図３を参照して、霧吹き器は、その全体が真鍮等の金属から製造されている。そして、この霧吹き器は、上端面１０ａにクリーニング用溶剤取入口１１を備え、その内部にクリーニング用溶剤が入れられる平たい円筒状の本体１０を有しており、本体１０の周壁上部であって、上端面との境界領域には切欠部１３が設けられ、本体１０内部には、管形状を有し、本体１０の底部から上向きに切欠部１２までのび、下端にクリーニング用溶剤の吸込口が設けられ、上端にクリーニング用溶剤の吸出口１３ａが設けられた溶剤吸上げ管１３が取り付けられている。さらに、本体１０の上端面１０ａには、一端に空気吹込口１４ａを備え、他端には空気吹出口１４ｂを備えた管形状を有する空気吹込み管１４が、空気吹出口１４ｂを溶剤吸上げ管１３の吸出口１３ａに近接させるような配置で固定されている。
【０００５】
こうして、本体１０のクリーニング用溶剤取入口１１から本体１０内にクリーニング用溶剤が入れられ、使用者によって空気吹込み管１４の空気吹込口１４ａから空気が吹き込まれることによって、本体１０内のクリーニング用溶剤が溶剤吸上げ管１３を通じて吸上げられ、吸出口１３ａから霧状に吹出されるようになっている。
【０００６】
しかし、この従来の霧吹き器の構造はさほど単純ではなく、しかも金属製であるから、取り扱いが容易ではなく、また製造コストの面で有利ではないという欠点を有していた。
【０００７】
【考案が解決しようとする課題】
したがって、本考案の課題は、従来の空気吹込み式の霧吹き器よりも簡単な構造を有し、低コストで製造でき、取り扱いが容易な霧吹き器を提供することにある。
【０００８】
【課題を解決するための手段】
上記課題を解決するため、本考案は、上端が開口し、内部にクリーニング用溶剤が入れられる容器と、前記容器の上端開口部に着脱自在に取り付けられた密閉部材と、前記密閉部材に設けられた貫通穴を通って上下方向に、前記容器の外側から前記容器の内部にのび、前記密閉部材にシールされた状態で取付けられた支持管と、管形状を有し、前記支持管内に差し込まれて前記支持管内にのび、下端にクリーニング用溶剤の吸込口が設けられ、前記支持管から突出する上端にクリーニング用溶剤の吸出口が設けられた溶剤吸上げ管と、一端に空気吹込口が設けられ、他端に空気吹出口が設けられた管形状を有し、前記溶剤吸上げ管に連結されるとともに、前記空気吹出口が前記吸上管の吸出口に近接し、かつ前記溶剤吸上げ管に交差するように配置された空気吹込み管と、を備えていることを特徴とするクリーニング用溶剤噴霧器を構成したものである。
【０００９】
この構成において、好ましくは、前記密閉部材は、蓋または栓からなっており、また好ましくは、前記溶剤吸上げ管の吸出口側外周面に一方の連結片が固定され、前記空気吹込み管の空気吹出口側外周面には他方の連結片が固定されていて、前記一方の連結片および前記他方の連結片が、連結軸によって、垂直面内において互いに回動可能に連結されていることによって、前記空気吹込み管は前記溶剤吸上げ管に連結されている。
また、前記容器、前記密閉部材および前記支持管は、ポリエチレンおよびポリプロピレンおよび金属のうちのいずれかから形成されていることが好ましく、さらには、前記溶剤吸上げ管および前記空気吹込み管は、金属から形成されていることが好ましい。
【００１０】
【考案の実施の形態】
以下、添付図面を参照して、本考案の好ましい実施例について説明する。図１は、本考案の１実施例によるクリーニング用溶剤霧吹き器の斜視図であり、図２は、図１のクリーニング用溶剤霧吹き器の溶剤吸上げ管および空気吹込み管の連結体の構造を示す平面図である。
【００１１】
図１および図２に示されるように、本考案によるクリーニング用溶剤霧吹き器は、上端が開口し、内部にクリーニング用溶剤（ベンジンや揮発油等）が入れられる容器１と、容器１の上端開口部に着脱自在に取り付けられ、容器１の開口を密閉する密閉部材２とを備えている。この実施例では、容器１は、ポリエチレンから形成され、首部１ａと胴部１ｂを備えており、図示されないが、首部１ａの外周壁にはねじ山が形成されている。そして、密閉部材２は、その内周面に容器の首部１ａのねじ山に係合するねじ溝を備えたポリエチレン製のキャップ形状の蓋からなっており、密閉部材２を、容易に、容器１にねじ込んで取り付け、容器１からねじって取り外すことができるようになっている。
【００１２】
なお、容器１および密閉部材２の形成材料はポリエチレンに限定されるものではなく、容器１内に入れられるクリーニング用溶剤によっては溶解しない別の材料、例えば、ポリプロピレンや金属から容器１および密閉部材２を形成することもできる。また、密閉部材２の構成もこの実施例に限定されるものではなく、例えば、密閉部材２を栓として構成することもできる。
【００１３】
本考案の霧吹き器は、また、密閉部材２に設けられた貫通穴を通って上下方向に、容器１の外側から容器１の内部にのび、密閉部材２にシールされた状態で取付けられた支持管３と、管形状を有し、支持管３内に差し込まれて支持管３内にのび、下端にクリーニング用溶剤の吸込口４ａが設けられ、支持管３から突出する上端にクリーニング用溶剤の吸出口４ｂが設けられた溶剤吸上げ管４を備えている。好ましくは、支持管３の下端は容器１の内側底面に近接して配置され、溶剤吸上げ管４の下端は支持管の下端までのびていて、さらに、支持管３の下端開口および溶剤吸上げ管４の吸込口４ａはともに、それらの軸に対して交差するように開口している。それによって、容器１を起立させた状態で、効率的に、容器１内のクリーニング用溶剤を残らずに使用することが可能となる。
支持管３は、この実施例では、容器１および密閉部材２と同様に、ポリエチレンから形成されるが、クリーニング用溶剤によっては溶解しない別の材料、例えば、ポリプロピレンや金属から形成することもできる。
【００１４】
本考案の霧吹き器は、さらに、一端に空気吹込口５ａが設けられ、他端に空気吹出口５ｂが設けられた管形状を有し、連結部材６によって溶剤吸上げ管４に連結されるとともに、空気吹出口５ｂが溶剤吸上げ管４の吸出口４ｂに近接し、かつ溶剤吸上げ管４に交差するように配置された空気吹込み管５を備えている。連結部材６は、空気吹込み管５の空気吹出口５ｂ側外周面に固定された一方の連結片６ａと、溶剤吸上げ管４の吸出口４ｂ側外周面に固定された他方の連結片６ｂと、これらの連結片６ａ、６ｂの対応する管の外周面から突出する部分を、互いに垂直面内において回動可能に連結するハトメ６ｃとからなっている。それによって、本考案の霧吹き器を使用しない場合には、空気吹込み管５をハトメ６ｃのまわりに回動させて溶剤吸上げ管４側に折り畳むことにより、霧吹き器の全体をコンパクト化することができる。なお、この場合、支持管３の周壁の一部には、支持管３の上端開口から下向きに一定長さの切り込みが設けられ、溶剤吸上げ管４が支持管３内に差し込まれたときに、溶剤吸上げ管４に固定された連結片６ｂの管外周面から突出する部分が突き出すようになっている。
溶剤吸上げ管４および空気吹込み管５は、容器１、密閉部材２および支持管３と同様、クリーニング用溶剤によっては溶解しない材料から形成されるが、金属から形成されていることが好ましい。
【００１５】
そして、使用に際し、容器１から密閉部材２が取り外され、容器１内にクリーニング用溶剤が入れられた後、密閉部材２が再び容器１に取り付けられる。そして、容器１を手に持った状態で、空気吹込み管５の空気吹出口５ｂが、和服や洋服、ネクタイ等の被服における汚れを擦り落とすべき領域に向けられ、空気吹込口５ａから使用者によって空気が吹き込まれる。このとき、空気吹出口５ｂから吹出される空気流の作用により、容器１内のクリーニング用溶剤が溶剤吸上げ管４を通じて吸上げられ、溶剤吸上げ管４の吸出口４ｂから吸い出され、空気吹出口５ｂからの空気流に沿って霧状に放出される。
【００１６】
こうして、本考案の霧吹き器は、従来の空気吹込み式霧吹き器より簡単な構造を有し、しかも、金属以外のポリエチレンやポリプロピレン等から製造することができ、従来のものより簡単に製造することができ、製造コストの面で従来のものより優っており、また、取り扱いも容易である。
【００１７】
【考案の効果】
以上のように、本考案によれば、空気吹込み式の霧吹き器をポリエチレンやポリプロピレン等から製造することができ、しかも、従来の空気吹込み式の霧吹き器よりも簡単な構造の霧吹き器とすることができる。こうして、本考案によれば、従来のものより低コストで製造でき、取り扱いが容易な霧吹き器を提供することができる。
【図面の簡単な説明】
【図１】本考案の１実施例によるクリーニング用溶剤霧吹き器の斜視図である。
【図２】図１のクリーニング用溶剤霧吹き器の溶剤吸上げ管および空気吹込み管の連結体の構造を示す平面図である。
【図３】従来の空気吹込み式霧吹き器の斜視図である。
【符号の説明】
１　容器
２　密閉部材
３　支持管
４　溶剤吸上げ管
４ａ　吸込口
４ｂ　吸出口
５　空気吹込み管
５ａ　空気吹込口
５ｂ　空気吹出口
６　連結部材
【図１】
0003097766.tif 000003
【図２】
0003097766.tif 000004
【図３】
0003097766.tif 000005